(57)【要約】【課題】不使用時にコンパクトに纏めることができて汎用性が高い組み合わせ家具装置を提供する。【解決手段】ハイテーブル１とローテーブル２と椅子３とがセットになっており、ローテーブル２はハイテーブル１の内部に格納され、椅子３はローテーブル２の内部に格納される。ローテーブル２は、ハイテーブル１の下端に設けたステー２１に載って、椅子３は、ローテーブル２及びハイテーブル１のステー２１，２２に載っている。３つの家具１，２，３を一緒に移動させることができる。ローテーブル２及び椅子３は吊り懸け式ではないため、天板１０や座１５は左右外側にはみ出ている必要がない。従って、汎用性が高い。また、ローテーブル２及びハイテーブル１の側枠や天板に内向き突出した係止部を設ける必要はないため、使用状態で人の足が係止部に当たることもない。【選択図】図１
2019111172.tif 000002
【特許請求の範囲】
【請求項１】
左右の側枠で天板を支えた第１家具と、前記第１家具の内部に格納可能であると共に独立して使用可能な第２家具とを有しており、前記第１家具における左右側枠の下端に、前記第２家具が載る受け部を設けている、
組み合わせ家具装置。
【請求項２】
前記第２家具は左右の側枠で天板を支持したテーブルであり、前記第２家具の内部に格納できると共に独立して使用可能な第３家具を備えており、前記第２家具における左右側枠の下端に前記第３家具を支持する受け部が形成されているか、又は、前記第１家具の受け部で前記第３家具を支持可能になっている、
請求項１に記載した組み合わせ家具装置。
【請求項３】
前記第１家具及び第２家具の受け部は、左右側枠の下端間に装架したステーで構成されている、
請求項２に記載した組み合わせ家具装置。
【請求項４】
前記第３家具は、左右の側枠で座を支持している椅子であり、当該椅子における左右側枠の下端間に、物品を載置できるステーが装架されている、
請求項２又は３に記載した組み合わせ家具装置。
【請求項５】
前記第２家具は、前記天板が側枠から左右外側に全く又は殆どはみ出しておらず、前記第３家具は、前記座が側枠から左右外側に全く又は殆どはみ出していない、
請求項２〜４のうちのいずれかに記載した組み合わせ家具装置。
【請求項６】
左右の側枠で天板を支持して成る第１家具と、前記第１家具の内部に格納可能であって左右の側枠で天板を支持して成る第２家具と、前記第２家具の内部に格納可能な第３家具とを備えており、
前記第２家具と第３家具とは独立して使用可能であり、
かつ、前記第２家具を第１家具に格納して第３家具を第２家具に格納した状態で、前記第１家具を持ち上げると前記第２家具及び第３家具も一緒に持ち上がるように、前記第２家具は第１家具に支持されて、前記第３家具は前記第２家具又は第１家具で支持されている、
組み合わせ家具装置。
【請求項７】
前向きに開口した一方の家具と、前記一方の家具の内部に手前から嵌め入れできる他方の家具とを有しており、前記一方の家具の左右側部と他方の家具の左右側部とに、人が下方から同時に手を掛けて両家具を一緒に持ち上げることを可能にする持ち上げ許容部が設けられている、
組み合わせ家具装置。
【発明の詳細な説明】
【技術分野】
【０００１】
本願発明は、複数の家具からなる組み合わせ家具装置に関するものである。
【背景技術】
【０００２】
テーブル（机）は一般に椅子とセットで使用されるようになっており、背もたれがない椅子は、その全体をテーブルの内部（天板の下方の空間）に格納できるようになっている。しかし、椅子は床に載せた状態に過ぎないため、テーブルと椅子を移動させるに際しては、それらテーブルと椅子とを別々に持って移動させねばならず、このため、移動に際しての手間が掛かっていた。
【０００３】
他方、特許文献１には、椅子をテーブルの脚に吊り下げることが開示されており、また、特許文献２には、椅子をテーブルの天板に吊り下げることが開示されている。すなわち、特許文献１，２では、椅子の座を脚の左右外側に張り出して、この張り出し部を、脚又は天板に設けた係止部に吊り懸けしている。
【先行技術文献】
【特許文献】
【０００４】
【特許文献１】実開平０６−２４５４７号のＣＤ−ＲＯＭ
【特許文献２】特開２０１７−１８５０８７号公報
【発明の概要】
【発明が解決しようとする課題】
【０００５】
特許文献１，２では、テーブルを持ち上げると椅子も一緒に持ち上げられるため、テーブル及び椅子の移動を一回で行うことができる。しかし、椅子の座は、左右端部が脚から張り出しておらねばならないため、座が左右に張り出していないタイプの椅子には適用できず、このため汎用性に劣るという問題があった。
【０００６】
また、椅子を吊支するための係止部は、特許文献１では脚の上部から内向きに突出しており、特許文献２では天板の下面から下向き突出しているため、テーブルの使用時に人の足（膝や大腿部）が係止部に当たりやすいという問題もある。
【０００７】
さて、ユーザーは、テーブルと収納棚とをセットで使用したり、椅子に腰掛けて使用するテーブルと立って使用するテーブルとをセットで使用したいと欲することがある。すなわち、３つ又はそれ以上の家具をセットで使用したいと欲することがある。このような場合、不使用時に全体を１つに纏めておけると室のスペースを有効利用できるが、特許文献１，２は、１つのテーブルに１つの椅子を吊り懸けることを開示するに過ぎず、３つ以上の家具の一体化については何等提示していない。
【０００８】
本願発明は、このような現状を改善すべく成されたものである。
【課題を解決するための手段】
【０００９】
本願発明は組み合わせ家具装置に関し、様々な構成を含んでいる。その典型を各請求項で特定している。このうち請求項１の発明に係る組み合わせ家具装置は、
「左右の側枠で天板を支えた第１家具と、前記第１家具の内部に格納可能であると共に独立して使用可能な第２家具とを有しており、前記第１家具における左右側枠の下端に、前記第２家具が載る受け部を設けている」
というものである。
【００１０】
請求項２の組み合わせ家具装置は、請求項１において、
「前記第２家具は左右の側枠で天板を支持したテーブルであり、前記第２家具の内部に格納できると共に独立して使用可能な第３家具を備えており、前記第２家具における左右側枠の下端に前記第３家具を支持する受け部が形成されているか、又は、前記第１家具の受け部で前記第３家具を支持可能になっている」
という構成になっている。なお、請求項３では、第３家具の内部に第４家具を格納するというように、４つ以上の家具の組み合わせとすることが可能である。
【００１１】
請求項２の展開例として、請求項３では、「前記第１家具及び第２家具の受け部は、左右側枠の下端間に装架したステーで構成されている」という構成になっている。また、請求項２又は３の展開例として、請求項４では、「前記第３家具は、左右の側枠で座を支持している椅子であり、当該椅子における左右側枠の下端間に、物品を載置できるステーが装架されている」という構成になっている。
【００１２】
請求項５の組み合わせ家具装置は、請求項２〜４のうちのいずれかにおいて、
「前記第２家具は、前記天板が側枠から左右外側に全く又は殆どはみ出しておらず、前記第３家具は、前記座が側枠から左右外側に全く又は殆どはみ出していない」
という構成になっている。
【００１３】
請求項６の組み合わせ家具装置は独立した発明であり、
「左右の側枠で天板を支持して成る第１家具と、前記第１家具の内部に格納可能であって左右の側枠で天板を支持して成る第２家具と、前記第２家具の内部に格納可能な第３家具とを備えており、
前記第２家具と第３家具とは独立して使用可能であり、
かつ、前記第２家具を第１家具に格納して第３家具を第２家具に格納した状態で、前記第１家具を持ち上げると前記第２家具及び第３家具も一緒に持ち上がるように、前記第２家具は第１家具に支持されて、前記第３家具は前記第２家具又は第１家具で支持されている」
というものである。
【００１４】
この請求項６でも、請求項３と同様に、第３家具の内部に第４家具を格納するというように、４つ以上の家具の組み合わせにすることが可能である。
【００１５】
請求項７の組み合わせ家具装置も独立した発明であり、この組み合わせ家具装置は、
「前向きに開口した一方の家具と、前記一方の家具の内部に手前から嵌め入れできる他方の家具とを有しており、前記一方の家具の左右側部と他方の家具の左右側部とに、人が下方から同時に手を掛けて両家具を一緒に持ち上げることを可能にする持ち上げ許容部が設けられている」
という構成になっている。
【発明の効果】
【００１６】
請求項１〜５の発明では、一方の家具に下方の家具を格納するにおいて、一方の家具の側枠の下端に設けた受け部で他方の家具が支持されているため、格納される家具において、必ずしも天板や座が側枠の左右外側にはみ出している必要はない。従って、汎用性に優れていて、格納できる家具のデザインの自由性を向上できる。
【００１７】
請求項２及び請求項６では、高さが相違する２つのテーブルを含む３つ（或いは３つ以上）の家具を一体化できるため、ユーザーの要望にきめ細かく応えつつ、不使用時のスペースの有効利用に貢献できる。
【００１８】
請求項３のように、受け部をステーの形態に構成すると、第１家具及び第２家具の剛性を向上できる。また、格納される家具の側枠の下端をステーに嵌め込むことにより、前後ずれ不能にすることも簡単に実現できる。
【００１９】
請求項４では、高さが相違する天板付き家具と、高さが低い天板付き家具とセットで使用される椅子との３つの家具の組み合わせになっているが、高さの高い天板付き家具は収納家具としても使用できるため、何かと重宝であり、多くのユーザーの要望に応えることができるといえる。すなわち、汎用性が高い組み合わせになっているといえる。
【００２０】
請求項５の構成では、椅子の内部にカゴやボックスなどの補助物品を格納できるが、これらの物品は椅子のステーに載せることができるため、補助物品を椅子ごと移動させることができる。従って、椅子を移動させるに際して一々補助物品を出し入れする必要はなくて、ユーザーフレンドリーである。また、補助物品は床には載らないため、ゴミの付着の問題を防止できると共に、ユーザーの心理的安心感も確保できる。
【００２１】
請求項１〜６では、嵌まり合っている２つの家具のうち外側の家具で内側の家具を支持しているが、請求項７では、嵌まり合った家具の持ち上げ許容部を一緒に持ち上げできるようになっている。従って、嵌め合わせた複数の家具を一緒に持ち上げて移動させるに際して、家具の安定性を高めることができる。なお、請求項７の構成と請求項１〜６の構成とは相反するものではなく、互いに組み合わせることができる。
【図面の簡単な説明】
【００２２】
【図１】第１実施形態を示す図で、（Ａ）は分離斜視図、（Ｂ）は棚板を取り付けた状態での（Ａ）のＢ−Ｂ視断面図である。
【図２】（Ａ）は格納状態での正面図、（Ｂ）は格納状態での側面図、（Ｃ）は家具の支持状態を示す図で図３（Ｂ）のIIＣ−IIＣ視断面図、（Ｄ）は接地体の取付け状態を飯酢縦断正面図である。
【図３】（Ａ）は分離側面図、（Ｂ）は（Ａ）の IIB-IIB視断面図である。
【図４】レイアイウの例を示す図で、（Ａ）は正面図、（Ｂ）は平面図である。
【図５】第２実施形態を示す図で、（Ａ）は要部の分離側面図、（Ｂ）は要部の縦断側面図である。
【図６】第３実施形態を示す図で、（Ａ）は分離平断面図、（Ｂ）は全体を格納した状態での平断面図である。
【図７】第４実施形態を示す図で、（Ａ）は第１家具の部分斜視図、（Ｂ）は格納状態での縦断正面図である。
【図８】第５実施形態を示す図で、（Ａ）は部分斜視図、（Ｂ）は（Ａ）のＢ−Ｂ視平断面図である。
【図９】第６実施形態を示す図で、（Ａ）は部分斜視図、（Ｂ）は（Ａ）のＢ−Ｂ視平断面図である。
【発明を実施するための形態】
【００２３】
次に、本願発明の実施形態を図面に基づいて説明する。各実施形態は、高さの高いハイテーブル１と、高さが低いローテーブル２と、ローテーブル２とセットで使用される椅子３との３つの家具の組み合わせになっており、請求項との関係では、ハイテーブル１は第１家具に該当し、ローテーブル２は第２家具に該当し、椅子３は第３家具に該当している。
【００２４】
(1).第１実施形態（図１〜４）
まず、図１〜４に示す第１実施形態を説明する。図１（Ａ）に示すように、ハイテーブル１は、平面視四角形の天板４と、これを支える左右の側枠５とを必須の要素としている。高さは９００ｍｍ程度、天板４の左右幅は５００ｍｍ程度、天板４の前後幅は４００ｍｍ程度になっている。ただし、これらの寸法は任意に設定できる。天板４は木製であるが、スチール製も使用できる。
【００２５】
側枠５は、金属製の丸パイプによって側面視四角形に形成されており、従って、前後の鉛直部５ａと上水平部５ｂと下水平部５ｃとを有しており、上水平部５ｂが天板４にビス等で固定されている。前後の鉛直部５ａは、複数段の桟部材６ａ，６ｂで連結されている。また、左右の後ろ鉛直部に５ａには、上下２段の幕板（背板）７が固定されている。なお、側枠５は、金属製の丸棒や角パイプなどで製造してもよい（この点は、ローテーブル２及び椅子３も同じである。）。
【００２６】
上段の幕板７は、天板４の後端に下方から当接している。従って、天板４の後端部は側枠の後面よりも僅かに後ろ向きにはみ出している。なお、幕板７は１枚のみでもよいし、３段以上であってもよい。また、幕板７を備えていない構成も可能であるが、堅牢性の確保のためには、左右の後ろ鉛直部５ａは横長の部材で連結するのが好ましい。
【００２７】
左右の桟部材６を利用して、着脱式の棚板８を装架することができる。図１（Ｂ）の例では、棚板８はスチール製であり、その左右両端に、桟部材６に上から嵌まる吊支部８ａを上向きに突設している。従って、吊支部８ａは、物品が左右に落ちるのを防止するストッパーとしても機能している。
【００２８】
左右の側枠５は、天板４の左右端部に位置している。従って、天板４の左右端面は側枠５の左右外面と略同一面を成しており、天板４は、側枠５の左右外側には殆ど又は全くはみ出していない（多少ははみ出してもよい。）。
【００２９】
ローテーブル２は、ハイテーブル１と同様の構造であり、天板１０と側枠１１とを必須の要素としており、側枠１１は、前後の鉛直部１１ａと上水平部１１ｂと下水平部１１ｃとを有しており、前後の鉛直部１１ａは桟部材１２で連結されている。幕板１３も備えている。ローテーブル２の高さは、６５０ｍｍ程度である。
【００３０】
ローテーブル２は、ハイテーブル１の内部（天板４と左右の側枠５とで囲われた空間）に格納することができる。従って、ローテーブル２の左右幅は、ハイテーブル１における左右側枠５の間隔よりも僅かに小さい寸法になっている。側枠１１は、ハイテーブル１の側枠５と同じ前後寸法になっている。また、ローテーブル２も、ハイテーブル１と同様に、左右の側枠１１は天板１０の左右端部に位置しており、天板１０は側枠１１の左右外側には、殆ど又は全くはみ出していない。
【００３１】
椅子３は、左右の側枠１４で座１５を支持した構造であり、座１５は、樹脂製等の座板にクッションを張った構造になっている。側枠１４は、テーブル１，２のそれと同様に四角形に形成されており、前後の鉛直部１４ａと上水平部１４ｂと下水平部１４ｃとを有しており、上水平部１４ｂが座１５にビス等で固定されている。なお、左右の上水平部１４ｂを上ステーで連結してもよい。
【００３２】
椅子３は、ローテーブル２の内部に格納できる左右幅であるが、側枠１４の前後幅はハイテーブル１の側枠５及びローテーブル２の側枠１１と同じ寸法になっている。従って、ローテーブル２をハイテーブル１に格納して、椅子３をローテーブル２に格納すると、各側枠５，１１，１４の鉛直部５ａ，１１ａ，１４ａは左右一直線状に並ぶ。椅子３の高さは４３０ｍｍ程度になっているが、寸法は、ローテーブル２に格納できる範囲で任意に設定できる。
【００３３】
(2).格納支持構造
各家具１，２，３における左右側枠５、１１，１４の下水平部５ｃ、１１ｃ，１４ｃには前後に長い接地体１７，１８，１９がビス２０（図２（Ｄ）参照）で固定されており、左右の接地体１７，１８，１９に前後２本ずつのステー２１，２２，２３が接続されている。接地体１７，１８，１９と樹脂製であり（金属製でもよい）、ステー２１，２２，２３は、側枠５，１１，１４と同じ外径の金属丸パイプで製造している。
【００３４】
本実施形態では、ハイテーブル１のステー２１とローテーブル２のステー２２とは請求項に記載した受け部材の一例であり、ハイテーブル１のステー２１にローテーブル２の接地体１８が載って、ローテーブル２のステー２２に椅子３の接地体１９が載るようになっており、これにより、３つの家具１，２，３を一体化して、ハイテーブル１を持ち上げるとローテーブル２及び椅子３も持ち上がる。
【００３５】
そして、図３に明示するように、ローテーブル２の接地体１８に、ハイテーブル１の前後ステー２１が嵌まり込む下向き開口の１つの第１係合凹所２４を形成しており、また、椅子３の接地体１９に、ローテーブル２のステー２２とハイテーブル１のステー２１とが嵌まり込む下向き開口の前後一対の第２係合凹所２５を形成している。
【００３６】
第１係合凹所２４の前後両端部には、ハイテーブル１のステー２１がその弾性に抗して嵌まり込むように少しくびれた係合部２４ａが形成されている。従って、ハイテーブル１のステー２１の前後ステー２１が、第１係合凹所２４に対して前後方向に突っ張った状態で嵌まっており、このため、ハイテーブル１の側枠５とローテーブル２の側枠１１とはガタ付き不能に保持されている。
【００３７】
また、第２係合部２５の前後両端部に少しくびれた係合部２５ａが形成されており、前部の第２係合部２５に対しては、ローテーブル２及びハイテーブル１の前部のステー２１，２２がその弾性に抗して嵌まって、後部の第２係合部２５に対しては、ローテーブル２及びハイテーブル１の後部のステー２１，２２がその弾性に抗して嵌まる。
【００３８】
従って、椅子３の側枠１４は、ローテーブル２の側枠１１及びハイテーブル１の側枠５に対して、前後ずれ不能にきっちり位置決めされる。従って、本実施形態では、椅子３は、ハイテーブル１のステー２１とローテーブル２のステー２２との両方で支持されるようになっている。
【００３９】
図４では、３つの家具の使用態様の一例を示している。この例では、ローテーブル２とハイテーブル１とを左右に近接して並設し、ローテーブル２と椅子３とをセットで使用している。図１に示すように、椅子３の内部に籠状やボックス状等の整理ケース２６を配置することができる。この場合、整理ケース２６はステー２２に載せることができるため、椅子３を移動させるに際して一々取り出す必要はなく、椅子３と整理ケース２６とを一緒に移動させることができる。従って、移動に際しての手間を軽減できる。
【００４０】
ハイテーブル１の内部は物品の収納空間として使用できる。既述のように、棚板８を装架して整理棚として使用することもできるし、１ボックス状の収納庫として使用することもできる。ハイテーブル１は天板４を備えているので、例えば、天板にパソコンやタブレット端末などを置いて、人が立って使用するテーブルとして使用することもできる。
【００４１】
天板４に本立てなどの物品を置いて、整理家具として使用することも可能である。天板４の下面に左右長手のハンガーを配置して、ハイテーブル１を衣裳箪笥として使用することも可能である。ハイテーブル１の左右側枠５に３段以上の桟部材６を設けて、棚板８を多段に配置できるようにすると、使い勝手は高くなる。
【００４２】
ローテーブル２とハイテーブル１とを独立して使用しない場合は、既述のように、ローテーブル２をハイテーブル１に格納して、椅子３はローテーブル２に格納することにより、３つの家具１，２，３を一体化できる。このため、部屋のスペースを有利用できる。図２（Ａ）のとおり、三者を一体化した状態で、ローテーブル２の上方と椅子３の上方とに空間が空いている。従って、これらの空間に物品２７を配置することができる。
【００４３】
ローテーブル２と椅子３とを使用しない場合、ローテーブル２とハイテーブル１とを左右に平成して、ローテーブル２に椅子３を格納しておくこともできる。この場合は、ハイテーブル１の内部は各種物品の収納に使用できる。
【００４４】
例えば図２に明示するように、ハイテーブル１における側枠５の上段の桟部材６ａは、ローテーブル２における側枠１１の上水平部１１b と同じ高さになっている。しかも、桟部材６ａと上水平部１１b とは左右に近接している。このため、人は、ハイテーブル１の上段の桟部材６ａとローテーブル２の上水平部１１b とに下方から手Ｈを掛けて持ち上げることにより、ハイテーブル１とローテーブル２とを一緒に持ち上げて移動させることができる。
【００４５】
ハイテーブル１の桟部材６ａとローテーブル２の天板１０とに手を掛けることも可能であるが、本実施形態のよう、ローテーブル２においては上水平部１１b に手Ｈを当てる構成を採用すると、上水平部１１b に対して指先が強く引っ掛かるため、ハイテーブル１とローテーブル２との持ち上げを安定良く行える利点がある。なお、ローテーブル２に椅子を組み込んでいる場合は、三者が一緒に持ち上がる。
【００４６】
請求項７との関係では、ハイテーブル１とローテーブル２とは、ハイテーブル１が一方の家具に該当して、ローテーブル２が他方の家具に該当する。実施形態では、ハイテーブル１でローテーブル２と椅子３とを支持した状態で、ハイテーブル１の桟部材６ａとローテーブル２の上水平部１１ｂとを一緒に（同時）に持ち上げできるため、３つの家具は全体として一体性を高めた状態で持ち運びできる。
【００４７】
同じく図２に明示するように、ハイテーブル１における下部の桟部材６ｂと、ローテーブル２における側枠１１の桟部材１２と、椅子３における側枠１４の上水平部１４ｂとは同じ高さになっている。従って、ハイテーブル１の桟部材６ｂとローテーブル２の桟部材１２とに手Ｈを掛けてハイテーブル１とローテーブル２とを一緒に持ち上げたり、ローテーブル２の桟部材１２と椅子の上水平部１４ｂとに手Ｈを掛けて、ローテーブル２と椅子３とを一緒に持ち上げることができる。
【００４８】
請求項７の関係では、ローテーブル２と椅子３とは、ローテーブル２が一方の家具に該当して、椅子が他方の家具に該当する。手が大きい人であると、ハイテーブル１の桟部材６ｂとローテーブル２の桟部材１２と椅子３の上水平部１４ｂとの三者に同時に手を掛けて、ハイテーブル１とローテーブル２と椅子３とを一緒に持ち上げて移動させることも可能である。
【００４９】
従って、本実施形態では、請求項７との関係では、ハイテーブル１の桟部材６ａ，６ｂとローテーブル２の上水平部１１ｂ及び桟部材１２、並びに、椅子３の上水平部１４ｂが、請求項に記載した持ち上げ許容部になっている。ローテーブル２の天板１０や椅子の座１５を持ち上げ許容部として機能させることも可能である。
【００５０】
(3).第２〜４実施形態
第１実施形態では各側枠５，１１，１４の下端に接地体１７，１８，１９を固定していたが、図５に示す第２実施形態では、接地体を使用せずに、ローテーブル２における側枠１１の下水平部１１ｃ，椅子３における側枠１４の下水平部１４ｃとに係合凹所２４，２５を形成している。従って、シンプルな構造になっている。
【００５１】
図６に示す第３実施形態では、ローテーブル２における側枠１１の下水平部１１ｃを左右内向きに突出させることにより、椅子３における側枠１４の下水平部１４ｃが載る第２受け部２９を形成し、また、ハイテーブル１における側枠５の下水平部５ｃを左右内向きに突出させることにより、ローテーブル２の受け部２９が載る第１受け部３０を形成している。
【００５２】
第１実施形態及び第２実施形態では、３つの家具１，２，３を一体化した状態で、ローテーブル２の側枠１１と椅子３の側枠１４の下端は床に接地していたが、図６の第３実施形態では、ローテーブル２及び椅子３の側枠１１，１４は接地していない。図６の実施形態では、第１受け部３０を略コ字形に形成する一方、第２受け部２９を台形に形成することにより、第２受け部２９が第１受け部３０に載るように設定している。
【００５３】
図６（Ａ）に一点鎖線で示すように、第１受け部３０を平面視台形に形成して椅子３の側枠１４よりも左右内側に突出させる一方、ローテーブル２及び椅子３の側枠１１，１４には特段の変形は施さずに、ハイテーブル１の第１受け部３０でローテーブル２の側枠と椅子３の側枠１４とを支持することも可能である。いずれの場合も、第１実施形態及び第２実施形態と同様に、ローテーブル２と椅子３との前後ずれを阻止する係合手段（或いはストッパー手段）を設けるのが好ましい。
【００５４】
図７に示す第４実施形態では、各側枠５，１１，１４の下水平部５ｃ，１１ｃ，１４ｃに前後長手の接地体１７，１８，１９を固定して、ハイテーブル１の接地体１７にローテーブル２の接地体１８が載って、ローテーブル２の接地体１９に椅子３の接地体１９が載るように設定すると共に、各側枠５，１１，１４における下水平部５ｃ，１１ｃ，１４ｃの上に、当該水平部５ｃ，１１ｃ，１４ｃの内側面と同一面を成すガイド体３１を配置している。ガイド体３１は、下水平部５ｃ，１１ｃ，１４ｃに固定してもよいし、前後の垂直部５ａ，１１ａ，１４ａに固定してもよい。
【００５５】
この実施形態では、ローテーブル２をハイテーブル１に格納するに際しては、ローテーブル２の左右位置が左右のガイド体３１で規制されるため、ローテーブル２の接地体１８をハイテーブル１の接地体１７に載せて奥に押すだけで、ローテーブル２のスムースに格納することができる。同様に、椅子３は、左右位置がローテーブル２のガイド体３１で規制されるため、その接地体１８をローテーブル２の接地体１８に載せて奥に押すだけで、椅子３をスムースに格納することができる。
【００５６】
この第４実施形態でも、ローテーブル２及び椅子３を格納位置に保持する係合手段（ストッパー手段）を設けるのが好ましい。係合手段としては、ばねなどの弾性体（ラッチ手段）を使用することもできるため、ローテーブル２及び椅子３の自重を利用して、椅子３やローテーブル２が僅かに持ち上げて引き出すように構成することもできる。
【００５７】
(4).第５，６実施形態
図８及び図９では、ハイテーブル１にローテーブル２を格納した状態で、ローテーブル２の天板１０の左右ガタ付きを防止する手段の例を示している。このうち図８の第５実施形態では、側枠５及び桟部材６を中空角形に形成して、ハイテーブル１の側枠５を格納状態のローテーブル２の天板１０の真横に位置するように設定し、ハイテーブル１の桟部材６に、摘み３３を有する水平回転式のカム３４を取付けて、カム３４をローテーブル２の天板１０の側面に突っ張らせることにより、ローテーブル２の天板１０のガタ付きを阻止している。
【００５８】
カム３４は左右の桟部材６のうち片方のみに設けてもよいし、両方に設けてもよい。カム３４に代えて、軸線を左右長手にしてねじをハイテーブル１の桟部材６に外からねじ込んで、ねじをローテーブル２の天板１０に突っ張らせることも可能である。
【００５９】
図９に示す第６実施形態では、ハイテーブル１の桟部材６に、前後動するスライダ３５とこのスライダ３５の前後動に連動してクサビ作用によって左右動する押圧体３６とからなる押さえ部材を装着して、スライダ３５に設けたレバー３７を前後動操作することにより、ローテーブル２の天板１０をロック・ロック解除できるようにしている。
【００６０】
図８，９はハイテーブル１とローテーブル２との組み合わせに適用したが、ローテーブル２と椅子との組み合わせや、ハイテーブル１と椅子３との組み合わせにも適用することができる。
【００６１】
実施形態のように、家具をフレーム構造の枠体に天板４，１０や座１５を取り付けた場合、枠体の後面や左右側面に、目隠しや美粧等のために布等の表皮材を張ることが可能である。表皮材は、例えば面ファスナーを使用して簡単に着脱できる構成にすることができる。表皮材は、四周のうち少なくとも１つの面に張ることがきる。また、一つの面の全体を覆ってもよいし、部分的に覆ってもよい。
【００６２】
最も大きい家具を、その内部で人が作業したりリラックスしたりできるブース状に構成することも可能である。この場合、周囲を枠体で構成して、左右側部と背面部（及び天面部）に布等の表皮材を張ることにより、閉じた空間を形成することができる。集中的な思索を行いたい場合など、重宝である。
【００６３】
以上、本願発明の実施形態を説明したが、本願発明は、他にも様々に具体化できる。例えば、上記の実施形態では第３家具として椅子３を採用したが、第３家具として文机を採用することも可能である。側枠は板材で構成されていてもよい（従って、側枠が側板となる場合も有り得る。）。
【産業上の利用可能性】
【００６４】
本願発明は、組み合わせ家具装置に具体化できる。従って、産業上利用できる。
【符号の説明】
【００６５】
１  第１家具の例としてのハイテーブル
２  第２家具の例としてのローテーブル
３  第３家具の例としての椅子
４，１０  天板
５，１１，１４  側枠
５ｃ，１１ｃ，１４ｃ  下水平部
６  桟部材
１５  座
１７，１８，１９  接地体
２１，２２，２３  受け部の例としてのステー
２４，２５  係合凹所
２６  整理ケース（補助物品）
【図１】
2019111172.tif 000003
【図２】
2019111172.tif 000004
【図３】
2019111172.tif 000005
【図４】
2019111172.tif 000006
【図５】
2019111172.tif 000007
【図６】
2019111172.tif 000008
【図７】
2019111172.tif 000009
【図８】
2019111172.tif 000010
【図９】
2019111172.tif 000011